(57)【要約】【課題】  ポータブルキーボードのポータブルコンピュータ用スタンド装置の提供。【解決手段】  前回転フレーム及び後ろ回転フレームを特定角度に回転させてポータブルコンピュータを収容する収容空間を提供し、並びに後ろ回転フレームによりポータブルコンピュータの背面を支持し、前回転フレームによりポータブルコンピュータの下縁を押さえ、このほか、前回転フレーム及び後ろ回転フレームを回転させてポータブルキーボードの上表面に収容できる。【選択図】        図１
2004272898.tif 000002
【特許請求の範囲】
【請求項１】
ポータブルキーボード、少なくとも一つの後ろ回転フレーム、少なくとも一つの前回転フレームを具えたポータブルキーボードのポータブルコンピュータ用スタンド装置であり、
該ポータブルキーボードはその上表面にキーセットが設けられ、
該少なくとも一つの後ろ回転フレームは、後ろ回転軸でポータブルキーボードの上表面に枢設され、後ろ回転フレームは前向きに回転してポータブルキーボードの上表面に閉合され得ると共に、後ろ向きに第１特定角度まで回転可能とされ、
該少なくとも一つの前回転フレームは、前回転軸でポータブルキーボードの上表面の後ろ回転軸より前方の位置に枢設され、該少なくとも一つの前回転フレームが後ろ向きに回転してポータブルキーボードの上表面に閉合され得ると共に、前向きに第２特定角度まで回転可能とされ、
そのうち、少なくとも一つの後ろ回転フレームが後ろ向きに第１特定角度まで回転させられ、且つ少なくとも一つの前回転フレームが前向きに第２特定角度まで回転させられる時、少なくとも一つの後ろ回転フレームと少なくとも一つの前回転フレームの間にポータブルキーボードを収容できる収容空間が形成されることを特徴とする、ポータブルキーボードのポータブルコンピュータ用スタンド装置。
【請求項２】
請求項１記載のポータブルキーボードのポータブルコンピュータ用スタンド装置において、少なくとも一つの後ろ回転フレームが少なくとも一つの後ろ回転フレームを第１特定角度まで回転させる弾力を提供する少なくとも一つの第１弾性手段を具えたことを特徴とする、ポータブルキーボードのポータブルコンピュータ用スタンド装置。
【請求項３】
請求項１記載のポータブルキーボードのポータブルコンピュータ用スタンド装置において、少なくとも一つの前回転フレームは少なくとも一つの前回転フレームを前向きに第２特定角度まで回転させる弾力を提供する少なくとも一つの第２弾性手段を具えていることを特徴とする、ポータブルキーボードのポータブルコンピュータ用スタンド装置。
【請求項４】
請求項１記載のポータブルキーボードのポータブルコンピュータ用スタンド装置において、ポータブルキーボードの上表面に少なくとも一つのの係合手段が設けられ、該係合手段は少なくとも一つの後ろ回転フレームに係合してそれをポータブルキーボードの上表面に閉合させることができることを特徴とする、ポータブルキーボードのポータブルコンピュータ用スタンド装置。
【請求項５】
請求項１記載のポータブルキーボードのポータブルコンピュータ用スタンド装置において、後ろ回転フレームの長さが少なくとも一つの前回転フレームより長く、且つ少なくとも一つの前回転フレームが上凹部を具え、少なくとも一つの後ろ回転フレームが閉合されてその下表面が少なくとも一つの前回転フレームの上方に圧接される時に併せてポータブルキーボードの上表面に閉合され、且つ少なくとも一つの後ろ回転フレームが前回転フレームの上凹部内に収容されることを特徴とする、ポータブルキーボードのポータブルコンピュータ用スタンド装置。
【請求項６】
請求項５記載のポータブルキーボードのポータブルコンピュータ用スタンド装置において、ポータブルキーボードの上表面に少なくとも一つの後ろ回転フレームに係合可能なスライド係止手段が組み付けられ、これにより前回転フレーム、後ろ回転フレームを併せてポータブルキーボードの上表面に閉合させることができることを特徴とする、ポータブルキーボードのポータブルコンピュータ用スタンド装置。
【請求項７】
請求項１記載のポータブルキーボードのポータブルコンピュータ用スタンド装置において、ポータブルコンピュータがタブレットコンピュータとされたことを特徴とする、ポータブルキーボードのポータブルコンピュータ用スタンド装置。
【発明の詳細な説明】
【技術分野】
【０００１】
本発明はポータブルキーボードのポータブルコンピュータ用スタンド装置に係り、特に前回転フレームと後ろ回転フレームを使用してポータブルコンピュータをポータブルキーボードの上表面において支持及び押さえるスタンド装置に関する。
【背景技術】
【０００２】
タブレットコンピュータは使用者の移動に対応し、また一般のコンピュータ装置の強力な演算機能及び相容性を具え、その外形は薄く、コンパクトであるため、広く使用者に受け入れられている。しかし、タブレットコンピュータの機能は一般のコンピュータ装置よりもシンプルであり、その文字入力の方式は手書き入力或いは音声入力が採用され、もしキーボードで文字を入力する時は、外接式キーボードを使用する必要がある。しかし外接式キーボードとタブレットコンピュータは分離した装置であり、このため使用者に携帯上の不便をもたらす。このほか、タブレットコンピュータは一定の重量、例えば２．５ｋｇを有し、使用者がある定点、例えばオフィスに停留する時、使用者は支持物を使用してタブレットコンピュータの重量を支持するが、この支持物が余分の空間を占拠し、且つ支持物でタブレットコンピュータを支持する方式は支持物の種類により決定され、全てが傾斜方式で支持するとは限らない。しかし支持物は傾斜方式でタブレットコンピュータを支持するのが人体工学の要求に符合し、このため使用者は時間と精力を費やして支持物を選択しなければならない。
【発明の開示】
【発明が解決しようとする課題】
【０００３】
本発明は一種のポータブルキーボードのポータブルコンピュータ用スタンド装置を提供することを目的とし、それはポータブルコンピュータに簡単な支持方式を提供すると共に、速やかに展開と折り畳みができる装置であるものとする。
【０００４】
本発明のもう一つの目的は、一種のポータブルキーボードのポータブルコンピュータ用スタンド装置を提供することにあり、それは、構造が簡単で故障しにくく、且つ使用空間を節約できる装置であるものとする。
【課題を解決するための手段】
【０００５】
請求項１の発明は、ポータブルキーボード、少なくとも一つの後ろ回転フレーム、少なくとも一つの前回転フレームを具えたポータブルキーボードのポータブルコンピュータ用スタンド装置であり、
該ポータブルキーボードはその上表面にキーセットが設けられ、
該少なくとも一つの後ろ回転フレームは、後ろ回転軸でポータブルキーボードの上表面に枢設され、後ろ回転フレームは前向きに回転してポータブルキーボードの上表面に閉合され得ると共に、後ろ向きに第１特定角度まで回転可能とされ、
該少なくとも一つの前回転フレームは、前回転軸でポータブルキーボードの上表面の後ろ回転軸より前方の位置に枢設され、該少なくとも一つの前回転フレームが後ろ向きに回転してポータブルキーボードの上表面に閉合され得ると共に、前向きに第２特定角度まで回転可能とされ、
そのうち、少なくとも一つの後ろ回転フレームが後ろ向きに第１特定角度まで回転させられ、且つ少なくとも一つの前回転フレームが前向きに第２特定角度まで回転させられる時、少なくとも一つの後ろ回転フレームと少なくとも一つの前回転フレームの間にポータブルキーボードを収容できる収容空間が形成されることを特徴とする、ポータブルキーボードのポータブルコンピュータ用スタンド装置としている。
請求項２の発明は、請求項１記載のポータブルキーボードのポータブルコンピュータ用スタンド装置において、少なくとも一つの後ろ回転フレームが少なくとも一つの後ろ回転フレームを第１特定角度まで回転させる弾力を提供する少なくとも一つの第１弾性手段を具えたことを特徴とする、ポータブルキーボードのポータブルコンピュータ用スタンド装置としている。
請求項３の発明は、請求項１記載のポータブルキーボードのポータブルコンピュータ用スタンド装置において、少なくとも一つの前回転フレームは少なくとも一つの前回転フレームを前向きに第２特定角度まで回転させる弾力を提供する少なくとも一つの第２弾性手段を具えていることを特徴とする、ポータブルキーボードのポータブルコンピュータ用スタンド装置としている。
請求項４の発明は、請求項１記載のポータブルキーボードのポータブルコンピュータ用スタンド装置において、ポータブルキーボードの上表面に少なくとも一つのの係合手段が設けられ、該係合手段は少なくとも一つの後ろ回転フレームに係合してそれをポータブルキーボードの上表面に閉合させることができることを特徴とする、ポータブルキーボードのポータブルコンピュータ用スタンド装置としている。
請求項５の発明は、請求項１記載のポータブルキーボードのポータブルコンピュータ用スタンド装置において、後ろ回転フレームの長さが少なくとも一つの前回転フレームより長く、且つ少なくとも一つの前回転フレームが上凹部を具え、少なくとも一つの後ろ回転フレームが閉合されてその下表面が少なくとも一つの前回転フレームの上方に圧接される時に併せてポータブルキーボードの上表面に閉合され、且つ少なくとも一つの後ろ回転フレームが前回転フレームの上凹部内に収容されることを特徴とする、ポータブルキーボードのポータブルコンピュータ用スタンド装置としている。
請求項６の発明は、請求項５記載のポータブルキーボードのポータブルコンピュータ用スタンド装置において、ポータブルキーボードの上表面に少なくとも一つの後ろ回転フレームに係合可能なスライド係止手段が組み付けられ、これにより前回転フレーム、後ろ回転フレームを併せてポータブルキーボードの上表面に閉合させることができることを特徴とする、ポータブルキーボードのポータブルコンピュータ用スタンド装置としている。
請求項７の発明は、請求項１記載のポータブルキーボードのポータブルコンピュータ用スタンド装置において、ポータブルコンピュータがタブレットコンピュータとされたことを特徴とする、ポータブルキーボードのポータブルコンピュータ用スタンド装置としている。
【発明の効果】
【０００６】
本発明のポータブルキーボードのポータブルコンピュータ用スタンド装置は、構造が簡単で、損壊しにくく、速やかに展開及び収納でき、また、ポータブルキーボードに結合されて空間を節約する。ゆえに本発明はその目的を達成し、周知の技術に較べて顕著な進歩性を具備している。
【発明を実施するための最良の形態】
【０００７】
本発明のポータブルキーボードのポータブルコンピュータ用スタンド装置は、ポータブルキーボード、少なくとも一つの後ろ回転フレーム、少なくとも一つの前回転フレームを具えている。該ポータブルキーボードはその上表面にキーセットが設けられている。該少なくとも一つの後ろ回転フレームは、後ろ回転軸でポータブルキーボードの上表面に枢設され、後ろ回転フレームは前向きに回転してポータブルキーボードの上表面に閉合され得ると共に、後ろ向きに第１特定角度まで回転可能である。該少なくとも一つの前回転フレームは、前回転軸でポータブルキーボードの上表面の後ろ回転軸より前方の位置に枢設され、該少なくとも一つの前回転フレームが後ろ向きに回転してポータブルキーボードの上表面に閉合され得ると共に、前向きに第２特定角度まで回転可能である。そのうち、少なくとも一つの後ろ回転フレームが後ろ向きに第１特定角度まで回転させられ、且つ少なくとも一つの前回転フレームが前向きに第２特定角度まで回転させられる時、少なくとも一つの後ろ回転フレームと少なくとも一つの前回転フレームの間にポータブルキーボードを収容できる収容空間が形成される。そのうち、少なくとも一つの後ろ回転フレームはさらに少なくとも一つの後ろ回転フレームを後ろ向きに第１特定角度まで回転させる弾力を提供する少なくとも一つの第１弾性手段を具えている。少なくとも一つの前回転フレームは少なくとも一つの前回転フレームを前向きに第２特定角度まで回転させる弾力を提供する少なくとも一つの第２弾性手段を具えている。ポータブルキーボードの上表面には更に少なくとも一つのの係合手段が設けられ、該係合手段は少なくとも一つの後ろ回転フレームに係合してそれをポータブルキーボードの上表面に閉合させることができる。ポータブルキーボードの上表面に更にスライド係止手段が組み付けられ、それは少なくとも一つの後ろ回転フレームに係合可能で、これにより前回転フレーム、後ろ回転フレームを併せてポータブルキーボードの上表面に閉合させることができる。
【０００８】
本発明のポータブルコンピュータはタブレットコンピュータ、ノートブック型コンピュータ、ウェブパッド（ｗｅｂｐａｄ）、或いはその他のポータブルコンピュータとされうる。第１弾性手段はスプリング、油圧ポンプ或いはその他の十分な弾力を提供できる装置とされ、スライド係止手段はスライドボタン或いはその他の係合力を提供できる装置とされ、係合手段は凸点或いはその他の係合力を提供できる装置とされる。本発明のスタンド装置は、ポータブルコンピュータに簡潔な支持方式を提供し、また速やかに展開及び収納でき、空間を節約できる効果を有する。
【実施例１】
【０００９】
図１から図５は関係する図面であり、同じ番号の部品は機能が同じか或いは類似の部品を代表する。図１は本発明のポータブルキーボードのポータブルコンピュータ用スタンド装置の正面図であり、ポータブルキーボード２の上表面４に、キーセット３のほか、後ろ回転フレーム１０、第１前回転フレーム１２及び第２前回転フレーム１４が設けられている。本実施例では、第１前回転フレーム１２及び第２前回転フレーム１４はキーボード後方のキーセット３に接近する位置に設けられ、後ろ回転フレーム１０はキーボード後方のキーセット３から離れた位置に設けられている。ゆえに第１前回転フレーム１２と第２前回転フレーム１４は後ろ回転フレーム１０の前方に配置されている。
【００１０】
図２に示されるように、後ろ回転フレーム１０の一端には後ろ回転軸２２が設けられ、並びに後ろ回転軸２２によりポータブルキーボード２の上表面４のキーセット３から離れた部分に枢設され、且つ前向きに後ろ回転軸２２を回すことで後ろ回転フレーム１０を上表面４に閉合することができる。第１前回転フレーム１２の一端に第１前回転軸１８が設けられ、第１前回転フレーム１２の上表面に第１上凹部１２１が設けられている。第２前回転フレーム１４の一端に第２前回転軸１９が設けられ、該第２前回転フレーム１４の上表面に第２上凹部１４１が設けられている。第１前回転フレーム１２及び第２前回転フレーム１４はそれぞれ第１前回転軸１８及び第２前回転軸１９によりポータブルキーボード２の上表面４のキーセット３に近い対応位置に枢設され、且つそれぞれ第１前回転軸１８と第２前回転軸１９を後ろ向きに回すことでポータブルキーボード２の上表面４に閉合することができる。第１前回転フレーム１４、第２前回転フレーム１４及び後ろ回転フレーム１０がいずれもポータブルキーボード２の上表面４に閉合される時、後ろ回転フレーム１０の下表面１１は第１上凹部１２１及び第２上凹部１４１に嵌合する。そのうち、後ろ回転フレーム１０の長さは第１前回転フレーム１２及び第２前回転フレーム１４よりも長い。
【００１１】
このほか、ポータブルキーボード２の上表面４に更に凸点１６が設けられ、図１に示されるようであり、第１前回転フレーム１２、第２前回転フレーム１４及び後ろ回転フレーム１０がいずれもポータブルキーボード２の上表面４に閉じ合わされる時、凸点１６が係合力を提供して後ろ回転フレーム１０をポータブルキーボード２の上表面４に閉じ合わせる。
【００１２】
図３に示されるように、後ろ回転軸２２を後ろ向きに回して後ろ回転フレーム１０を展開すると、後ろ回転フレーム１０はもとの水平状態（閉合状態）から後ろ向きに回転してある特定角度θ１、例えば６０度の位置に至る。また、前向きに第１前回転軸１８を回して第１前回転フレーム１２を展開すれば、第１前回転フレーム１２はもとの水平状態（閉合状態）から前向きに回転してある特定角度θ２、例えば６０度の位置に至る。第２前回転フレーム１４の状態は第１前回転フレーム１２と類似であるため説明は省略する。こうして、後ろ回転フレーム１０、第１前回転フレーム１２及び第２前回転フレーム１４の間に収容空間２０が形成され、タブレットコンピュータ６をこの収容空間２０中に挿置可能となる。そのうち、後ろ回転フレーム１０はタブレットコンピュータ６の背面６１を支持し、第１前回転フレーム１２と第２前回転フレーム１４はタブレットコンピュータ６の下縁６２を押さえる。
【００１３】
このほか、ポータブルキーボード２の上表面４に更に凹部２４が設けられ、図１に示されるようであり、後ろ回転フレーム１０を展開時に、凹部２４に使用者の手指等で外力を提供して後ろ回転フレーム１０に対して施力することで、後ろ回転フレーム１０の係合状態を解除してそれを展開することができる。
【００１４】
図４に示されるように、収容空間２０にタブレットコンピュータ６を収容せずに後ろ回転フレーム１０、第１前回転フレーム１２、第２前回転フレーム１４を閉合させたい時は、後ろ回転軸２２を前向きに回して後ろ回転フレーム１０を閉合させれば、後ろ回転フレーム１０が特定角度θ１より上表面４の方向に回転し、閉合の状態が達成される。しかし、後ろ回転フレーム１０の閉合の過程で、後ろ回転フレーム１０の長さが第１前回転フレーム１２及び第２前回転フレーム１４より長いため、第１前回転フレーム１２と第２前回転フレーム１４は後ろ回転フレーム１０の下表面１１の圧接力を受けてそれぞれ第１前回転軸１８及び第２前回転軸１９を回転させ、並びに特定角度θ２より上表面４の方向に回転し、閉合の状態が達成される。
【００１５】
このほか、弾性装置を使用して後ろ回転フレーム１０及び第１前回転フレーム１２及び第２前回転フレーム１４の閉合及び展開の動作を補助できる。例えば、後ろ回転軸２２内部に後ろスプリング２２１が設けられ、後ろ回転フレーム１０展開時に、後ろスプリング２２１により後ろ回転フレーム１０に弾力を提供し、後ろ回転フレーム１０を特定角度θ１に速やかに回転させることができる。また、第１前回転フレーム１２内部に第１前スプリング１８１を設けて第１前回転フレーム１２に弾力を提供することで、第１前回転フレーム１２を速やかに特定角度θ２に回転させることができる。第２前回転フレーム１４の状態は第１前回転フレーム１２と類似であるが、第２前スプリング１９１により第２前回転フレーム１４に弾力を提供する。
【００１６】
このほか、ポータブルキーボード２の上表面４にスライドボタン２８を設置可能で、これは図５に示されるようである。スライドボタン２８は後ろ回転フレーム１０、第１前回転フレーム１２、第２前回転フレーム１４の閉合及び展開動作を補助し、該スライドボタン２８内部に係止突起（図示せず）が形成され、後ろ回転フレーム１０が閉合される時、係止突起により係合力を提供し、後ろ回転フレーム１０をポータブルキーボード２の上表面４における閉合状態を維持できる。スライドボタン２８を切り換える時、係止突起はその係合力を失い、後ろ回転フレーム１０が後ろ向きに回転可能となり、展開状態を呈する。この時、後ろ回転フレーム１０の下表面１１は第１前回転フレーム１２及び第２前回転フレーム１４に対する圧接力を失い、ゆえに第１前回転フレーム１２及び第２前回転フレーム１４もまた前向きに回転し、展開状態を呈する。
【００１７】
このほか、図３に示されるように、タブレットコンピュータ６が収容空間２０に収容される時、収容空間２０の大きさはタブレットコンピュータ６の厚さより大きく、ゆえにタブレットコンピュータ６が傾斜角度を以て収容空間２０中に収容され、人体工学の要求に符合する。
【図面の簡単な説明】
【００１８】
【図１】本発明のポータブルキーボードのポータブルコンピュータ用スタンド装置の閉合状態の斜視図である。
【図２】本発明のポータブルキーボードのポータブルコンピュータ用スタンド装置の展開状態の斜視図である。
【図３】本発明のポータブルキーボードのポータブルコンピュータ用スタンド装置の展開方式の表示図である。
【図４】本発明のポータブルキーボードのポータブルコンピュータ用スタンド装置の閉合方式の表示図である。
【図５】本発明のスライドボタンを設けたポータブルキーボードのポータブルコンピュータ用スタンド装置の斜視図である。
【符号の説明】
【００１９】
２  ポータブルキーボード        ３  キーセット            ４  上表面
６  タブレットコンピュータ      １０  後ろ回転フレーム    １１  下表面
１２  第１前回転フレーム        １４  第２前回転フレーム  １６  凸点
１８  第１前回転軸              １９  第２前回転軸        ２０  収容空間
２２  後ろ回転軸                ２４  凹部                ２８  スライドボタン
６１  背面                      ６２  下縁                １２１  第１上凹部
１４１  第２上凹部              １８１  第１前スプリング
１９１  第２前スプリング        ２２１  後ろスプリング
【図１】
2004272898.tif 000003
【図２】
2004272898.tif 000004
【図３】
2004272898.tif 000005
【図４】
2004272898.tif 000006
【図５】
2004272898.tif 000007